(57)【要約】【課題】  トラック積み卸し時の検品装置のコストダウンを図る。【解決手段】  荷積み荷卸し口１０の周囲に、個々の荷物２、パレット２ａ、ケースなどに貼付してある無線ＩＣタグ４の荷物情報を受信するアンテナ５を配設したトラック１が荷積みや荷卸しのために集まってくる物流センタや倉庫などの荷物の集積場所に、無線通信コントローラ１１を含む制御装置１５を配設し、来場した上記トラック１のアンテナ５と無線通信コントローラ１１とをケーブル１２によって接続可能にしたものである。【選択図】    図３
2005320128.tif 000002
【特許請求の範囲】
【請求項１】
荷積み荷卸し口の周囲に、個々の荷物、パレット、ケースなどに貼付してある無線ＩＣタグの荷物情報を受信するアンテナを配設したトラックが荷積みや荷卸しのために集まってくる物流センタや倉庫などの荷物の集積場所に、無線通信コントローラを含む制御装置を配設し、来場した上記トラックのアンテナと無線通信コントローラとをケーブルによって接続可能にしたことを特徴とするトラックの積卸し時の検品装置。
【請求項２】
荷積み荷卸し口の周囲に、個々の荷物、パレット、ケースなどに貼付してある無線ＩＣタグの荷物情報を受信するアンテナを配設したトラックが荷積みや荷卸しのために集まってくる物流センタや倉庫などの荷物の集積場所に、無線通信コントローラを含む制御装置を配設し、来場した上記トラックのアンテナと無線通信コントローラとをケーブルによって接続可能にしたことを特徴とするトラックの積卸し時の検品方法。
【発明の詳細な説明】
【技術分野】
【０００１】
本発明はトラックによる物流システムの改良に係り、特にトラックに荷物を積み卸しする際に、予定通り荷物が積み卸しされたか否かを確認するトラック積み卸し時の検品装置に関する。
【背景技術】
【０００２】
今日、多量の商品が工場やデポからスーパーマーケット、コンビニエンスストア、小売店などに小口の荷物としてトラックにより配送されており、さらに宅配便の発達にともない家庭から家庭に配送されている。これらの荷物をトラックに積み卸しするときの管理は、荷物に貼付されている伝票とトラックの運転手が持っている控の伝票とを目視により確認することにより行うか、荷物の伝票の内容を口答またはキーボードで入力して配送センタと携帯電話またはＭＣＡ（multi-channel access）無線による確認の連絡によって行っていた。
【０００３】
しかし、トラックへの荷物の積み卸し時の荷物の確認を運転手の目視に頼っているため、誤配送、未配送や違う荷物を積み込む可能性がある。誤配送、未配送、違う荷物の積み込みが後で分かった場合には、正規の配送先や元の荷積み場所まで戻ってくる必要があり、輸配送効率の悪化やコストアップにつながる。
【０００４】
かかる問題を解決するため、本願出願人はさきにトラック積み卸し時の検品装置について、特許出願（特願平１１−１９０２４２）を行った。図１は上記出願の公開公報（特許文献１）に開示されたトラック積み卸し時の検品装置の斜視図である。図２は同じく系統図である。
【０００５】
【特許文献１】特開２００１−１９１６７
【０００６】
これらの図において、１は荷台１ａを有するトラックである。２は荷物であり、図示しないフォークリフトによりパレット２ａに乗せて、トラック１に積み込まれる。トラック運転手３は、荷物２を所定の場所に運ぶ。４は無線ＩＣタグである。５は無線ＩＣタグの情報を受信するアンテナである。アンテナ５はトラック荷台１ａの荷積み荷卸し口１０の周囲、すなわち、左右面および上面（または上下面）に貼付してある。運転手３が積み込み時にパレット２ａ上の荷物２を荷台１ａの所定の場所に運ぶとき、または、荷台１ａの所定の場所から荷物２を外部に運ぶときには必ずアンテナ５の付近を通過する。この際、荷物２の無線ＩＣタグ４をアンテナ５に向ってかざす必要はない。
【０００７】
７は車載制御装置でアンテナ５と電線６を介して接続されている。車載制御装置７では、あらかじめ受信しておいた荷物の積み卸し情報をアンテナ５からの情報を比較して、正誤を判断して表示してもよいし、アンテナ５によって得られた情報を、携帯電話、ＭＣＡ無線等を通じて物流センタ等のホストコンピュータ８に送り、そこで得た正誤の判断情報を再び携帯電話、ＭＣＡ無線等を通じて受信し表示してもよい。９は無線電波である。
【０００８】
荷物２に貼付されている無線ＩＣタグ４には、固有のＩＤ  Ｎｏ．が書き込まれており、そのＩＤ  Ｎｏ．と、荷物の送り先、内容物、発送元、数量などの荷物情報がリンクされている。トラック１の荷積み荷卸し口１０に配置してあるアンテナ５は、荷物が通過する際、荷物情報を受信する。アンテナ５で受信された電波の情報はトラック１に載置されている車載制御装置７に送られる。車載制御装置７には、あらかじめ物流センタ等のホストコンピュータ８から荷物の積み卸しデータが送信されていて、車載制御装置７は、そのデータとアンテナ５からの情報を比較して正誤を表示し、もし違っていれば警報を出す。警報を受けた運転手３は荷物２を検査し、誤っていることを確認すればその荷物２の積み卸しを中止し、正しい荷物２を探し出してその積み卸しを行う。また、車載制御装置７にデータをセーブしておかずに、車積制御装置７から、物流センタ等のホストコンピュータ８に蓄積されたデータを携帯電話またはＭＣＡ無線により直接呼び出して荷物の正誤を判断するようにしてもよい。
【発明の開示】
【発明が解決しようとする課題】
【０００９】
しかし、車積制御装置７（無線通信コントローラおよび小型コンピュータ）は高価であるため、トラック１の個々に装備するとコスト的負担が大きくなる。また、トラック積み卸し時の検品装置が有効なのはトラックが荷積みや荷卸しのために集まってくる物流センタや倉庫などの荷物の集積場所であり、その他の場所では、積み卸し荷物の個数も少なく目視による検品で十分である。
【００１０】
本発明は従来技術のかかる問題点に鑑み、先の出願の改良のために案出されたものであり、安価で有効なトラック積み卸し時の検品装置および検品方法を提供することを目的とする。
【課題を解決するための手段】
【００１１】
上記目的を達成するため本発明のトラック積み卸し時の検品装置は、荷積み荷卸し口の周囲に、個々の荷物、パレット、ケースなどに貼付してある無線ＩＣタグの荷物情報を受信するアンテナを配設したトラックが荷積みや荷卸しのために集まってくる物流センタや倉庫などの荷物の集積場所に、無線通信コントローラを含む制御装置を配設し、来場した上記トラックのアンテナと無線通信コントローラとをケーブルによって接続可能にしたものである。
【００１２】
また、本発明のトラック積み卸し時の検品方法は、荷積み荷卸し口の周囲に、個々の荷物、パレット、ケースなどに貼付してある無線ＩＣタグの荷物情報を受信するアンテナを配設したトラックが荷積みや荷卸しのために集まってくる物流センタや倉庫などの荷物の集積場所に、無線通信コントローラを含む制御装置を配設し、来場した上記トラックのアンテナと無線通信コントローラとをケーブルによって接続可能にしたものである。
【００１３】
次に本発明の作用を説明する。トラックの個々に無線通信コントローラを含む制御装置を装備せず、物流センタや倉庫などの荷物の集積場所に無線通信コントローラを含む制御装置を設けて、トラックが荷物の集積場所に来たときにトラックのアンテナと無線通信コントローラとをケーブルによって接続するようにしたので、本発明のトラック積み卸し時の検品装置は、システムとして安価で且つ有効なものとなる。
【発明の効果】
【００１４】
本発明のトラック積み卸し時の検品装置および検品方法は、荷物に貼付された無線ＩＣタグからの情報をトラックの荷積み荷卸し口に配置したアンテナによって、積み卸しするすべての荷物について検出して正誤を判断するようにしたので、荷物の積み卸しの正誤がその場で分かるようになり、誤配送、未配送、違う荷物の積み込みなどが皆無となり、輸配送の信頼性の向上が図れるとともに、輸配送の戻りがなくなることによる効率化とコストダウンが可能になる。さらに、個々のトラックには無線通信コントローラを含む制御装置を取付けず、荷物の集積場所に設置し、トラックが荷物の集積場所に来たときに、トラックのアンテナと無線通信コントローラとをケーブルによって接続することにしたので、コスト的負担が小さくなる。
【発明を実施するための最良の形態】
【００１５】
以下、本発明の１実施形態について図面を参照しつつ説明する。図３は本発明のトラック積み卸し時の検品装置の斜視図である。本図において、図１と共通する部分については同一の符号を付している。図３において、１は荷台１ａを有するトラックである。２は荷物であり、図示しないフォークリフトによりパレット２ａに乗せて、トラック１に積み込まれる。トラック運転手３は、荷物２を所定の場所に運ぶ。４は無線ＩＣタグである。５は無線ＩＣタグ４の情報を受信するアンテナである。アンテナ５はトラック荷台１ａの荷積み荷卸し口１０の周囲、すなわち、左右面および上面（または上下面）に貼付してある。６は電線である。
【００１６】
無線ＩＣタグ４には伝送媒体方式として、電磁誘導型と電磁波型等があるが、一般的に電磁誘導型は交信距離が１m以下であるのに対し、電磁波型は交信距離が数ｍあるので、本発明では電磁波型が適している。また、電源方式として、電池無しで、受信した電波を変調して電源とし、タグの回路を駆動することができるようになっているバッテリレス型と電池つきのバッテリ内蔵型があるが、安価であることや、交信距離が数ｍでよいので、本発明ではバッテリレス型が適している。
【００１７】
アンテナ５は指向性が高いアンテナを使用する。指向性が高いアンテナの交信領域は図４（Ａ）に示すように、典型的には回転楕円体状をしており、電磁波型ではこの長軸の長さが数ｍである。2以上のアンテナの交信領域が重なり合った部分に無線ＩＣタグ４が入ると相互干渉の問題が生ずる。相互干渉による無線ＩＣタグ４の読み取りエラーを防ぐための対策としては、リーダ／ライタアンテナ同士の交信状況を互いに知らせあう同期型、ひとつのリーダ／ライタアンテナが他のリーダ／ライタアンテナをコントロールするマスター／スレーブ型、相互干渉が発生しないようにリーダ／ライタアンテナをマルチプレクサにより制御する切替え型などがある。
【００１８】
ひとつのアンテナ５により複数の無線ＩＣタグ４を同時に読み取る機能をマルチリード機能というが、交信領域に先に入ってきた無線ＩＣタグ４から順番に交信する先入れ先出し機能と、交信領域内にある全ての無線ＩＣタグ４との交信をするマルチアクセス機能がある。本発明ではパレット２ａに乗せた荷物２を人手によって所定の場所に運ぶときに、アンテナの交信領域を通す場合には、先入れ先出し機能を持った無線通信コントローラが適しているし、パレット２ａに搭載された荷物２を一度に検品する場合にはマルチアクセス機能を持った無線通信コントローラが適している。
【００１９】
図３において、１１は無線通信コントローラである。図５は本発明のシステムの構成図である。無線通信コントローラ１１はコントローラとデータ送受信部を有していてアンテナ５と接続してアンテナを制御する。無線通信コントローラ１１は小型のコンピュータ１４によって制御される。無線通信コントローラ１１と小型のコンピュータ１４によって制御装置１５を構成する。小型のコンピュータ１４は物流センタのホストコンピュータ８に接続されており、あらかじめホストコンピュータ８から受信しておいた荷物の積み卸し情報をアンテナ５からの情報を比較して、正誤を判断して、トラックの荷積み荷卸し口１０の付近に設けた図示しない表示装置、警報装置、音声ガイダンス装置等によって表示してもよいし、アンテナ５によって得られた情報を、電話回線、ＭＣＡ無線等を通じて物流センタ等のホストコンピュータに送り、そこで得た正誤の判断情報を再び電話回線、ＭＣＡ無線等を通じて受信し表示してもよい。１２は無線通信コントローラ１１とアンテナ５とを接続するケーブルである。１３はコネクタであり、トラックが来たときに人手によってケーブル１２と電線６とを接続する。
【００２０】
図４（Ｂ）は解説書などに示される典型的な無線ＩＣタグシステムの構成図である。無線ＩＣタグシステムは、リーダ／ライタとＩＣタグ、リーダ／ライタを制御するための小型コンピュータから構成される。リーダ／ライタは、コントローラとデータ送受信部（ＲＦモジュール）、アンテナにより構成され、ＩＣタグはメモリと送受信部からなるＩＣチップ、およびそれに接続されるアンテナから構成される。小型コンピュータはリーダ／ライタを制御し、ＩＣタグに対してリードやライト処理を行う。
【００２１】
次に本実施形態の作用を説明する。荷物２に貼付された無線ＩＣタグ５からの情報をトラック１の荷積み荷卸し口１０に配置したアンテナ５によって、積み卸しするすべての荷物２について検出して正誤を判断するようにしたので、荷物２の積み卸しの正誤がその場で分かるようになり、誤配送、未配送、違う荷物の積み込みなどが皆無となり、輸配送の信頼性の向上が図れるとともに、輸配送の戻りがなくなることによる効率化とコストダウンが可能になる。トラック１の個々に車載制御装置としての無線通信コントローラ１１を含む制御装置１５を装備せず、物流センタや倉庫などの荷物の集積場所に無線通信コントローラ１１を含む制御装置１５を設けて、トラック１が荷物の集積場所に来たときにトラック１のアンテナ５と無線通信コントローラ１１とをケーブル１２によって接続するようにしたので、本発明のトラック積み卸し時の検品装置は、システムとして安価で且つ有効なものとなる。また、物流センター等の荷物の保管場所にICタグ情報を取得する無線通信コントローラ１１を含む制御装置１５があることで、荷役作業を行う作業員に対して、表示装置、音声ガイド、携帯端末等を利用して容易に荷役指示を出すことができる。
【００２２】
本発明は以上述べた実施形態に限られるものではなく、発明の要旨を逸脱しない範囲で種々の変更が可能である。たとえば、無線ＩＣタグ４を直接荷物２に貼付するようになっているが、荷物２に貼付せず、荷物２を載せるパレット２ａに、載せた全ての荷物２の情報を記入した無線ＩＣタグ４を貼付してもよいし、荷物２を収納したケースに同様の無線ＩＣタグ４を貼付してもよい。
【図面の簡単な説明】
【００２３】
【図１】従来のトラック積み卸し時の検品装置の斜視図である。
【図２】同じく系統図である。
【図３】本発明のトラック積み卸し時の検品装置の斜視図である。
【図４】（Ａ）は指向性が高いアンテナの交信領域を示す図であり、（Ｂ）は無線ＩＣタグシステムの構成図である。
【図５】本発明のシステムの構成図である。
【符号の説明】
【００２４】
１    トラック
２    荷物
４    無線ＩＣタグ
５    アンテナ
１０    荷積み荷卸し口  
１１    無線通信コントローラ
１２    ケーブル
１４    小型コンピュータ
１５    制御装置
【図１】
2005320128.tif 000003
【図２】
2005320128.tif 000004
【図３】
2005320128.tif 000005
【図４】
2005320128.tif 000006
【図５】
2005320128.tif 000007